(57)【要約】移動局通信局であって、カメラと、前記通信局の使用中にユーザーにより把持されるグリップとを備え、前記グリップは、コンパクトな第一の形状と、前記グリップの大きさが前記第一の形状よりも拡大する第二の形状とを有し、前記第二の拡大形状は、前記通信局のユーザーの把持性を改善するために設けられる、移動通信局。【選択図】図１
2007520929.tif 000002
【特許請求の範囲】
【請求項１】
グリップグリップグリップグリップグリップグリップ
移動局通信局であって、カメラと、前記通信局の使用中にユーザーにより把持されるグリップとを備え、前記グリップは、コンパクトな第一の形状と、前記グリップの大きさが前記第一の形状よりも拡大する第二の形状とを有し、前記第二の拡大形状は、前記通信局のユーザーの把持性を改善するために設けられる、移動通信局。
【請求項２】
前記グリップが取り付けられた本体部分を有する請求項１に記載の移動通信局であって、前記グリップは前記本体部分に対して移動可能である、移動通信局。
【請求項３】
請求項２に記載の移動通信局であって、前記本体部分は前記通信局の操作要素を有する、移動通信局。
【請求項４】
前記本体部分は前記カメラを備える、請求項３に記載の移動通信局。
【請求項５】
請求項３または４に記載の移動通信局であって、前記通信局のユーザー入力及び／又は出力要素は前記本体部分の表面に露出している、移動通信局。
【請求項６】
前記グリップは前記本体部分に対して回転可能である、請求項２から５に記載の移動通信局。
【請求項７】
前記グリップは、前記本体部分から突き出るように、前記本体部分に対して、前記カメラが指す方向と実質的に並行な軸の周りに回転可能である、請求項４に直接または間接的に従属する請求項６に記載の移動通信局。
【請求項８】
前記グリップは、前記本体部分から突き出るように、前記本体部分に対して、前記カメラが指す方向と実質的に垂直な軸の周りに回転可能である、請求項４に直接または間接的に従属する請求項６に記載の移動通信局。
【請求項９】
前記グリップは、少なくとも１つの回転位置で、前記回転軸の方向に前記本体から連続的に拡大する、請求項８に記載の移動通信局。
【請求項１０】
前記グリップは前記本体部分と相対的にスライド可能である、請求項２から５のいずれかに記載の移動通信局。
【請求項１１】
前記グリップは、中心部分と、前記中心部分から離れるように移動可能な少なくとも１つの外壁とを有し、前記第一のコンパクト設定から第二の拡大設定への移動において、前記または各壁は前記中心部分から離れるように移動させられる、上記請求項のいずれかに記載の移動通信局。
【請求項１２】
移動電話として動作可能である、上記請求項のいずれかに記載の移動通信局。
【請求項１３】
請求項１２に記載の移動通信局であって、前記グリップ部分の少なくとも１つの部分と前記移動通信局の別の部分の相対的動きを感知することができ、さらにそれに反応して第一の動作モードから第二の動作モードに切り替えることができる、移動通信局。
【請求項１４】
上記請求項のいずれかに記載の移動通信局であって、前記通信局のユーザー入力及び／又は出力要素は前記グリップの表面に露出している、移動通信局。
【請求項１５】
請求項１４に記載の移動通信局であって、前記グリップ部分は、前記通信移動局の前記ユーザー入力および／または出力要素が前記カメラが指す方向と実質的に反対方向に向いている前記グリップの表面に露出する位置に適合しうるように、前記カメラが指す方向に対して移動可能である、移動通信局。
【請求項１６】
上記請求項のいずれかに記載の移動通信局であって、前記グリップの形状を第一のコンパクト設定から第二の拡大設定に変更することにより、前記移動通信局の動作を制御するための追加ユーザーインターフェイスが使用可能となる、移動通信局。
【請求項１７】
上記請求項のいずれかに記載の移動通信局であって、前記グリップは前記移動通信局の操作コンポーネントを有する、移動通信局。
【請求項１８】
請求項１７に記載の移動通信局であって、前記グリップは前記移動通信局の本体に電気的に接続されている、移動通信局。
【請求項１９】
軸の周囲に比較的細長い本体を有する移動通信局であって、前記本体は互いに機械的に連結している２つの部分を備え、前記連結は、前記軸と実質的に並行な軸の周りに一方の部分を他方の部分に対して回転させ、その他の軸の周りに各部分が他の部分に対して回転することを防ぐ、移動通信局。
【請求項２０】
前記部分の一方はカメラを含む、請求項１９に記載の移動通信局。
【請求項２１】
前記部分のもう一方はディスプレイを含む、請求項２０に記載の移動通信局。
【請求項２２】
ゲームまたは編集機能を含む、上記請求項のいずれかに記載の移動通信局。
【請求項２３】
実質的に、添付図面を参照して本申請書で説明される通りである移動通信局。
【発明の詳細な説明】
【技術分野】
【０００１】
本発明は可変形状グリップを有する移動局に関連する。
【背景技術】
【０００２】
移動局の機能性の増加にともなって生まれた移動電話の使用方法の１つは、動画記録用のビデオキャプチャ装置としてのものであり、もう１つは移動ゲーム装置としてのものである。しかしながら、既存の移動局は音声バイアスが強く、ユーザーが電話をかけたり受けたりする際に手の中にちょうど収まるように現在は設計されている。統合デジタルカメラ付き移動局の第一世代でも移動局の「従来の」グリップを有する。この従来型グリップは、一般的に、撮影中にユーザーの親指とその他の指の間で把持される移動局を必要とするため、画像のキャプチャには適していない。このグリップ位置は不安定であり、ビデオの手ぶれ、つまり、キャプチャされたビデオシーケンスの不要な動きを引き起こす。また、このグリップを長時間続けるのは快適でなく、加えて比較的不安定であるのでユーザーが移動局を落としたり、損傷させたりすることにつながりかねない。したがって、撮影のために快適で安定した把持性を提供できる移動通信局が必要である。
【０００３】
ビデオキャプチャ機能を有する移動局はビデオストリーミング、つまり電話中に「ライブ」ビデオ画像を共有することができることも考えられる。つまり移動局は電話をかける／受けること、ビデオストリーミング、そして電話中でないときに長時間のビデオをキャプチャすることができるものとなるであろう。したがって、ユーザーが電話をかける／受けるためにキーパッドを操作する、テキストメッセージを作成する、ゲームをしながらビデオ画像をキャプチャできる移動局が求められている。すなわち、ユーザーにキーパッドの操作を許可しながら、ビデオキャプチャのための最良の人間工学を組み合わせる移動局が必要である。
【発明の開示】
【０００４】
本発明によると、移動局通信局であって、カメラと、前記通信局の使用中にユーザーにより把持されるグリップとを備え、前記グリップは、コンパクトな第一の形状と、前記グリップの大きさが前記第一の形状よりも拡大する第二の形状とを有し、前記第二の拡大形状は、前記通信局のユーザーの把持性を改善するために設けられる、移動通信局が提供される。
【０００５】
この移動通信局は、グリップが取り付けられた本体部分を有し、グリップは本体部分に対して移動可能であることが好ましい。
【０００６】
本体部分は通信局の操作コンポーネントを有する場合がある。
【０００７】
移動通信局の本体部分はカメラを含むことがある。
【０００８】
通信局のユーザー入力および／または出力コンポーネントは本体部分の表面に露出ていることがある。
【０００９】
移動通信局のグリップは本体部分に対して回転可能であることが好ましい。
【００１０】
本発明の一実施例では、グリップは、本体部分から突き出るように、本体部分に対して、カメラが指す方向と実質的に並行な軸の周囲に回転可能である。
【００１１】
本発明の別の実施例では、グリップは、本体部分から突き出るように、本体部分と相対的に、カメラが指す方向と実質的に垂直な軸の周囲に回転可能である。
【００１２】
移動通信局は、少なくとも１つの回転位置でグリップが回転軸方向に本体から連続して拡大するように配置されてよい。
【００１３】
グリップは本体部分と相対的にスライド可能であってよい。
【００１４】
グリップは中心部分と、この中心部分から離れるように移動可能な外壁を少なくとも１つ有し、第一のコンパクト設定から第二の拡大設定への移動において、この壁または各壁は中心部分から離れるように移動させられることが好ましい。
【００１５】
移動通信局は移動電話として動作可能であることが好ましい。
【００１６】
本発明の一実施例では、移動通信局は、グリップ部分の少なくとも１つの部分と移動通信局の別の部分との相対的な動きを感知することができ、これに反応して第一の操作モードから第二の操作モードに切り替えることができる。
【００１７】
移動通信局のユーザー入力および／または出力コンポーネントはグリップの表面に露出していることがある。
【００１８】
グリップ部分は、カメラが指す方向と実質的に反対方向のグリップ面の表面に通信局のユーザー入力および/または出力コンポーネントが露出する位置を選ぶことができるように、カメラが指す方向と相対的に移動可能であることが好ましい。
【００１９】
本発明の一実施例では、グリップの設定を第一の設定から第二の拡大設定に変更することにより、移動通信局の動作を制御するための追加ユーザーインターフェイスが使用となる。
【００２０】
グリップは、移動通信局の操作コンポーネントを有する場合がある。
【００２１】
グリップは、移動通信局の本体に電気的に接続されている場合がある。
【００２２】
本発明の一側面によると、軸の周囲に比較的細長い本体を有する移動通信局が提供される。この本体は互いに機械的に連結している２つの部分を備えており、この連結は前記軸に対して並行または実質的に並行な軸の周囲に一方の部分を他方部分とを相対的に回転させ、その他の軸の周囲で各部分が他方部分と相対的に回転することを阻止する。前記部分の一方はカメラを含むことが好ましい。他方部分はディスプレイを含むことが好ましい。このように、前記２つの部分は、ディスプレイとカメラがどちらもユーザーに面することができるように操作されることが好ましい。ディスプレイとカメラはどちらも回転軸と垂直または実質的に垂直な方向を指す、または面することが好ましい。
【発明を実施するための最良の形態】
【００２３】
本発明をより良く理解するために、添付図面を参照する。図面に表示されるように、移動局は、グリップ機能が備えられていることにより移動局のユーザーのための改善された把持性を実現する。グリップ機能は、接続手段により、移動局の本体に対して移動可能であるように接続される。接続は、一般的に、ピボット、ヒンジ、スライド配置などが可能である。グリップ機能は、移動局の機能的コンポーネント、特に機能的電子コンポーネントを含んでいてよい。
【００２４】
移動局は、一般的に少なくともディスプレイ（またはその他の出力装置）およびキーパッド（またはその他の入力装置）を備えるユーザーインターフェイスも含む。ユーザーは、ユーザーインターフェイス手段により、電話を発信および受信すること、テキストメッセージを送信すること、ゲームをすることなどができる。
【００２５】
さらに、本発明による移動局は、ファインダー、レンズ、メモリ、ズーム、関連回路などを有する、カメラのようなビデオキャプチャ装置を有する。
【００２６】
グリップ機能により、移動局は２つの空間形状をとることができる。第一の形状では、移動局は、移動局の従来の配置に類似する比較的コンパクトな配置を有する。この形状では、移動局は、電話中、ユーザーの手の中に快適に収まるように設計されている。この形状の移動局の人間工学は、電話の発信および受信に良く適している。さらにこの形状には、コンパクトな例もあり、軽量でユーザーのポケット、ハンドバッグなどに入れて運ぶことが簡単である。
【００２７】
移動局の第二の空間形状は、ビデオキャプチャに良く適した改善された人間工学設計を提供するように配置される。ビデオキャプチャの間、得られるビデオ画像における動きを回避するために、移動局を支えるための安定した把持性がユーザーに提供されることが好ましい。また、グリップにより、ユーザーが画像をキャプチャするために適切な方向で移動局を支えることができるようにすべきである。これには、例えば、ビデオキャプチャの間ユーザーがファインダーを通して見ることなどが伴うかも知れない。
【００２８】
本発明の実施例では、ビデオキャプチャのために改善された把持性は、グリップ機能の機械的動きと拡大により実現される。グリップ機能は、通信モードとカメラモードとの間の操作モードの変更を検知して移動局の自動制御の元で移動することが可能であるが、ユーザーにより操作可能であるように配置されることが好ましい。この操作は、一般的に、２段階で実現される。第一の段階には、グリップの最適な空間配置を実現するために、移動局の本体に関連してグリップ機能を動かすことを伴い、第二の段階には、ユーザーの移動局上でのグリップの安定性と快適性を改善するために、グリップ機能の一部の形状を拡大または延長することを伴う。移動局は、グリップ機能の動きを感知することができ、それに反応して、１つの動作モードから別の動作モードへ切り替える。例えば、グリップ部分が安定した支えに適応した位置へ動くとカメラモードに入り、コンパクト位置へ動くと電話モードに入ることが可能である。
【００２９】
第一段階の操作中、ユーザーは、移動局のグリップ機能と本体間の接続部分周囲でグリップ機能を動かす。これには一般的に、例えば、ねじり／ピボット、スライド、ポップアップ、折り畳みなど、ある形状の機械的動きまたは変形が伴う。
【００３０】
第二段階の操作中、グリップ機能は、拡大することにより「パワーグリップ」を形成する。この形状では、グリップ機能は、撮影中、親指とその他の指の間で支えるのではなく、ユーザーの手の中に収められることができる。拡大は、例えば、機械的手段によりグリップ機能の外面を拡張することにより実現できる。あるいは、グリップ機能の長さは機械的に延長できる。これらの例は共に、以下で説明する図１から３に示されている。本発明はこれらの例に限定されず、改善された把持性をユーザーに提供するためにグリップ機能を拡大できる任意の方法を網羅する。本発明のグリップ機能は、不必要なビデオ画像の動きが目につきにくくなるよう、移動局上でユーザーが持つ支えの安定性を高めるだけでなく、快適性も高めた把持性を提供する。これは、ユーザーが長時間ビデオを録画したい時には特に有意である。また、把持が安定するので、ユーザーが移動局を落として損傷させることが少なくなる。
【００３１】
図１から３は、本発明の実施例による形状可変のグリップ機能を有する移動局の例を示している。
【００３２】
図１は、側面にヒンジで連結された、厚みを増大することが可能なグリップを有する移動局を図示している。
【００３３】
図１ａは、第一のコンパクト配置の移動局を示している。移動局（１）は、ビデオキャプチャ装置（３）とグリップ機能（４）を備えた本体（２）を有する。ユーザーは、予め決定された角度（図のステップ１と２に表示されているように、おそらく１８０°）でグリップ機能を回転することにより、移動局の設定を変更する。これにより、図１ｂに表示される配置になり、グリップ機能が移動局の本体から突き出る。グリップ機能の外面は、これも図１ｂに示されているように、ステップ３で機械的に外向きに拡大される。これは、さらに、図１ｃに図示されている。図１のグリップ機能は、ユーザーが周囲を指で囲むことにより握り締めることができるので、さらに良い安定性を提供する。特に、拡大していない時のグリップ機能の幅が狭い場合には、径が拡大するというグリップ機能により、さらに快適に実行できるようになる。
【００３４】
図２は、移動局が底面にヒンジで連結された、厚みが拡大可能なグリップを有する、本発明の更なる実施例を示している。
【００３５】
図２ａは、コンパクトな例の移動局（１）を図示している。この実装では、ユーザーインターフェイスおよび／またはキーパッドは、移動局の底面部を形成するグリップ機能（４）内に収容されている。図２ｂと２ｃは、移動局の底面部を示している。つまり、グリップは、ステップ１と２で予め決定された角度（おそらく９０°）で回転せしめられているので、グリップは、親指とその他の指ではなく、手の中に握ることができる。上記と同様に、グリップの外面は、移動局の人間工学配置が改善されるように拡大可能である。拡大したときの構成は、図２ｃと２ｄに示される。
【００３６】
図３は、移動局が底面にヒンジで連結された、長さが延長可能なグリップを有する、本発明の更なる実施例を示している。
【００３７】
図３ａは、以前と同様に、コンパクトな例の移動局を示している。図３ｂは、予め決定された角度（おそらく９０°）で回転されている移動局（１）のグリップ部分（４）を図示し、図３ｃは、グリップの長さを延長することにより、ユーザーが握る上で最適化されているグリップを示す。
【００３８】
それぞれの実施例では、グリップ機能４は、移動局の機能的コンポーネントを含むことができる。ディスプレイおよび／またはキーなどの移動局のユーザーインターフェイスコンポーネントは、グリップ機能の外面上に露出していてよい。かかるユーザーインターフェイスコンポーネントは、カメラ操作の間にユーザーに面することによってカメラの操作性を強化するように、グリップ機能により回転せしめられる。
【００３９】
実施例の機能は一緒に組み合わせることが可能である。図２のグリップ機能は、図３のグリップ機能のように拡大できる。図２と図３のグリップ機能のヒンジポイントは、適した場所であればどこにあってもよい。図３のグリップ機能は、縦方向にも横方向にも拡大可能である。
【００４０】
グリップ機能を回転および／または延長することにより移動局の形態を変更すると、これまで覆われていた、またはアクセス不可能であった移動局の表面が露出する場合がある（例えば、図３ｃの表面１０、１１）。特定モードで移動局を操作するための最適形態を提供するために移動局の形態が変更されると、そのモードにおける追加のユーザー制御を提供するために、表面を使用することが可能である。例えば、制御により、ユーザーがビデオキャプチャモードの移動局の操作を制御できるようにする。制御は、記録、モード選択または巻き戻し／早送りなどの制御機能を提供することができる。
【００４１】
本発明による移動局は、拡大形状を有するように構成されるが、移動局はそれでもコンパクト設定の移動局の従来の小型サイズに適応できることが重要である。したがって、本発明の有利な実施例によると、グリップ機能内の容積は、電池や回路などのコンポーネントを納めるために使用される。このような実施例では、移動体局のグリップ機能と本体の間に提供される電気的接続が必要である。電気的接続を提供するために配線またはプリント基板を組み入れるヒンジ技術は、カメラやカムコーダのような既存の一般家電製品で既に使用されている。
【００４２】
未来の移動局は、電話中、ビデオストリーミング、つまり、「ライブ」ビデオ画像を送信することができるであろう。そのため、本発明による可変形状グリップを有する移動局は、同時に実装されているビデオキャプチャ機能や電話機能のあるマルチタスクを実行できることが重要である。したがって、本発明のさらなる実施例によると、移動局は、グリップの空間形状に関係なく、ユーザーがキーパッドを操作できるように構成される。これにより、ユーザーは、移動局がビデオキャプチャモード中にキーパッドを操作でき、キーパッドを操作することにより、ユーザーは撮影中に電話の発信／受信、テキストメッセージの作成や、ゲームなどができるようになる。
【００４３】
好ましい実施例によると、移動局のキーパッドは、ビデオキャプチャ装置のような移動局を操作するための追加キーは必要としない。
【００４４】
グリップを製造するための適切な材質を選択することにより、グリップ機能の安定性と快適性はさらに強化される。
【００４５】
移動局は、その他の装置と適切に通信、好ましくはワイヤレス通信、最も好ましくは無線通信することができる。移動局は、好ましくはユーザーの音声の同時リアルタイム通信や受信した音声データの再生のための移動電話として使用できることが好ましい。移動局は、オーディオ信号を検知するためのマイクや、オーディオ信号を再生するためのスピーカーを有することが好ましい。マイクやスピーカーは、移動局の少なくとも１つの設定において、通信目的のためにユーザーの耳や口に好都合に着けられることが可能であるように通信局に配置されることが好ましい。
【００４６】
本発明は、移動装置のビデオ／カメラ機能の強化に限定されない。ゲームや編集機能、あるいはグリップ機能がユーザーの把持性を改善するために拡大されることのできる任意のアプリケーションを強化するために使用することもできる。
【００４７】
出願人は、機能または機能の組み合わせが本申請書で公開されたいずれかの問題を解決するか否かに関係なく、さらに、請求項の範囲に限定されることなく、当業者が有する共通の一般的知識の観点から、機能や組み合わせが全体として本明細書に基づき実行することができる範囲にて、本明細書に説明した各機能を個別に、および、かかる機能を２つ以上任意に組み合わせて公開する。出願人は、本発明の側面はかかる機能または機能の組み合わせのいずれによっても構成可能であることを指摘する。前述の観点から、当業者には、本発明の範囲内で様々な変更が可能であることが明らかであろう。
【図面の簡単な説明】
【００４８】
【図１】側面にヒンジで連結された、厚みを増大可能なグリップを有する移動局を示している。
【図２】底面にヒンジで連結された、厚みを増大可能なグリップを有する移動局を示している。
【図３】底面にヒンジで連結された、長さを延長可能なグリップを有する移動局を示している。
【図１】
2007520929.tif 000003
【図２】
2007520929.tif 000004
【図３】
2007520929.tif 000005
【国際調査報告】
2007520929.tif 000006
2007520929.tif 000007
2007520929.tif 000008